(57)【要約】【課題】  大量の廃棄物を効率良く回収することができる清掃装置を提供すること。【解決手段】  装置フレーム２と、装置フレーム２の載置取付部に載置される廃棄物回収容器４と、装置フレームの載置部に取り付けられた吸引装置６と、を備えた清掃装置。廃棄物回収容器４は廃棄物を収容するための容器本体１８を備え、容器本体１８の上部には流入部及び流出部が設けられている。吸引装置６は、空気を吸引するための吸引部と、吸引した空気を排出するための排出部とを備えている。容器本体１８の流入部には吸込みホース２３の一端部が接続され、容器本体１８の流出部には流出ホース６６の一端部が接続され、流出ホース６６の他端部が吸引装置６の吸引部に接続され、吸引装置の排出部に粉塵回収部材９６が取り付けられる。【選択図】  図１
2006142202.tif 000002
【特許請求の範囲】
【請求項１】
載置取付部を備えた装置フレームと、前記装置フレームの前記載置取付部に載置される廃棄物回収容器と、前記装置フレームの前記載置部に取り付けられた吸引装置と、を備え、
前記廃棄物回収容器は廃棄物を収容するための容器本体を備え、前記容器本体の上部には流入部及び流出部が設けられており、
前記吸引装置は、空気を吸引するための吸引部と、吸引した空気を排出するための排出部とを備えており、
前記容器本体の前記流入部には吸込みホースの一端部が接続され、前記容器本体の前記流出部には流出ホースの一端部が接続され、前記流出ホースの他端部が前記吸引装置の吸引部に接続され、前記吸引装置の前記排出部に粉塵回収部材が取り付けられることを特徴とする清掃装置。
【請求項２】
前記吸込みホースの前記一端部は前記容器本体の前記吸込み部に着脱自在に接続され、前記流出ホースの前記一端部は前記容器本体の前記流出部に着脱自在に接続されることを特徴とする請求項１に記載の清掃装置。
【請求項３】
前記吸込み部は前記容器本体に複数設けられ、前記吸込み部の各々は、夫々、吸込み開口が設けられたフランジ受部を有しており、前記吸込みホースは、ホース本体と、前記ホース本体の一端部に設けられた接続フランジとを備え、前記接続フランジは前記ホース本体が接続される接続管部と、この接続管部の一端部に設けられたフランジ部とを有しており、前記接続フランジの前記フランジ部を前記フランジ受部に挿入すると、前記接続フランジの前記接続管部が前記吸込み部の前記吸込み開口に連通されることを特徴とする請求項１又は２に記載の清掃装置。
【請求項４】
前記吸込み部の前記フランジ受部には、プレート状の閉塞部材が着脱自在に挿入可能に構成されており、前記閉塞部材を前記フランジ受部に挿入すると、前記吸込み部の前記吸込み開口が前記閉塞部材によって閉塞されることを特徴とする請求項３に記載の清掃装置。
【請求項５】
前記装置フレームは、相互に対向する側面に沿って延びる一対の支持台部を介して支持され、前記一対の支持台部の各々は、夫々、長さ調整可能な一対の支持脚を介して前記装置フレームに取り付けられていることを特徴とする請求項１〜４のいずれかに記載の清掃装置。
【請求項６】
前記装置フレームには、これを吊り上げるときに用いる複数の第１係止部が設けられ、また前記容器本体には、これを吊り上げるときに用いる複数の第２係止部が設けられていることを特徴とする請求項１〜５のいずれかに記載の清掃装置。
【請求項７】
前記容器本体は円筒形状であり、前記容器本体には前記流入部から径方向内方に延びる内筒状部材が設けられ、前記内筒状部材における、前記容器本体の中央部又はその近傍に対応する下部に、吸い込んだ廃棄物を前記容器本体内に回収するための回収開口が設けられていることを特徴とする請求項１〜６のいずれかに記載の清掃装置。
【発明の詳細な説明】
【技術分野】
【０００１】
本発明は、作業現場、工場等において発生する土砂、粉塵等の廃棄物を回収するために用いる清掃装置に関する。
【背景技術】
【０００２】
例えば、建築現場、工事現場等においては、土砂、壁土、コンクリート片、木片等の比較的大きい廃棄物から粉塵等の比較的小さい廃棄物まで幅広いものが発生する。このような作業現場の清掃は、従来、ほうきを用いて行っているが、ほうきを用いた場合、細かい粉塵が空中に舞い上がって作業環境が悪くなったり、舞い上がった粉塵が周囲に飛散し、きれいに清掃するためには繰り返し掃除を行わなくてはならないという問題がある。
【０００３】
そこで、粉塵等の飛散を防止するために、作業現場等の廃棄物を回収を行うための電気掃除機が提案されている（特開平７−３９４７８号公報）。この電気掃除機は、吸引口が設けられたケーシングと、吸引口に接続された吸引ホースと、このケーシング内の上部に設けられたファンと、ケーシング内の吸引口とファンとの間に配設されたフィルタと、ケーシング内の吸引口の下方に設けられた廃棄物回収部と、を備えている。この電気掃除機では、ファンの吸引作用によって、土砂、壁土、コンクリート片等の廃棄物が吸引ホースを通して吸引され、ケーシング内まで吸引されると、比較的重いものは自重でもって落下して廃棄物回収部に回収される。一方、小さな粉塵等は空気とともにフィルタに流れ、このフィルタにて回収され、廃棄物が除去された空気（フィルタを通った空気）がケーシング外に排出される。このようにファンの吸引作用を利用して廃棄物を回収するので、粉塵等が舞い上がって周囲に飛散することがほとんどなく、きれいに効率良く清掃を行うことができる。
【０００４】
【特許文献１】特開平７−３９４７８号公報
【発明の開示】
【発明が解決しようとする課題】
【０００５】
しかしながら、上述した電気掃除機では、次の通りの解決すべき課題が存在する。第１に、ケーシングの底部に複数の車輪が設けられ、これらの車輪を利用して床面に沿って移動させる構成であるので、ケーシング内の廃棄物回収部の容量が小さく、土砂、壁土等の廃棄物の量が少ないときには問題がないが、発生する廃棄物の量が多いときには、回収した廃棄物によって廃棄物回収部が直ぐに満杯になり、回収作業を中止して廃棄物回収部に回収した廃棄物を頻繁に廃棄しなければならず、作業効率が悪くなる問題がある。第２に、作業現場が屋根等の傾斜した場所であると、装備する車輪によってケーシングが傾斜面に沿って移動し、清掃作業が非常に難しいという問題がある。第３に、作業現場ば屋根等の高所である場合、回収した廃棄物を廃棄するには、掃除機全体を屋根から下ろして回収した廃棄物を廃棄しなければならず、その作業が大変であり、特に、発生する廃棄物が大量である場合、廃棄物の廃棄作業に時間を要し、作業効率が非常に悪くなる問題がある。
【０００６】
本発明の目的は、大量の廃棄物を効率良く回収することができる清掃装置を提供することである。
本発明の他の目的は、屋根等の傾斜した作業面での設置することができ、また回収した廃棄物を容易に廃棄することができる清掃装置を提供することである。
【課題を解決するための手段】
【０００７】
本発明の請求項１に記載の清掃装置は、載置取付部を備えた装置フレームと、前記装置フレームの前記載置取付部に載置される廃棄物回収容器と、前記装置フレームの前記載置部に取り付けられた吸引装置と、を備え、
前記廃棄物回収容器は廃棄物を収容するための容器本体を備え、前記容器本体の上部には流入部及び流出部が設けられており、
前記吸引装置は、空気を吸引するための吸引部と、吸引した空気を排出するための排出部とを備えており、
前記容器本体の前記流入部には吸込みホースの一端部が接続され、前記容器本体の前記流出部には流出ホースの一端部が接続され、前記流出ホースの他端部が前記吸引装置の吸引部に接続され、前記吸引装置の前記排出部に粉塵回収部材が取り付けられることを特徴とする。
【０００８】
また、本発明の請求項２に記載の清掃装置では、前記吸込みホースの前記一端部は前記容器本体の前記吸込み部に着脱自在に接続され、前記流出ホースの前記一端部は前記容器本体の前記流出部に着脱自在に接続されることを特徴とする。
【０００９】
また、本発明の請求項３に記載の清掃装置では、前記吸込み部は前記容器本体に複数設けられ、前記吸込み部の各々は、夫々、吸込み開口が設けられたフランジ受部を有しており、前記吸込みホースは、ホース本体と、前記ホース本体の一端部に設けられた接続フランジとを備え、前記接続フランジは前記ホース本体が接続される接続管部と、この接続管部の一端部に設けられたフランジ部とを有しており、前記接続フランジの前記フランジ部を前記フランジ受部に挿入すると、前記接続フランジの前記接続管部が前記吸込み部の前記吸込み開口に連通されることを特徴とする。
【００１０】
また、本発明の請求項４に記載の清掃装置では、前記吸込み部の前記フランジ受部には、プレート状の閉塞部材が着脱自在に挿入可能に構成されており、前記閉塞部材を前記フランジ受部に挿入すると、前記吸込み部の前記吸込み開口が前記閉塞部材によって閉塞されることを特徴とする。
【００１１】
また、本発明の請求項５に記載の清掃装置では、前記装置フレームは、相互に対向する側面に沿って延びる一対の支持台部を介して支持され、前記一対の支持台部の各々は、夫々、長さ調整可能な一対の支持脚を介して前記装置フレームに取り付けられていることを特徴とする。
【００１２】
また、本発明の請求項６に記載の清掃装置では、前記装置フレームには、これを吊り上げるときに用いる複数の第１係止部が設けられ、また前記容器本体には、これを吊り上げるときに用いる複数の第２係止部が設けられていることを特徴とする。
【００１３】
また、本発明の請求項７に記載の清掃装置では、前記容器本体は円筒形状であり、前記容器本体には前記流入部から径方向内方に延びる内筒状部材が設けられ、前記内筒状部材における、前記容器本体の中央部又はその近傍に対応する下部に、吸い込んだ廃棄物を前記容器本体内に回収するための回収開口が設けられていることを特徴とする。
【発明の効果】
【００１４】
本発明の請求項１に記載の清掃装置によれば、装置フレームと、この装置フレームの載置取付部に載置される廃棄物回収容器と、この載置取付部に取り付けられた吸引装置とを備え、廃棄物回収容器の容器本体の流入部に吸込みホースが接続され、この容器本体の流出部と吸引装置の吸引部とが流出ホースを介して接続され、吸引装置の排出部に粉塵回収部材が取り付けられる。このような構成であるので、吸引装置が作動すると、その吸引作用は流出ホース及び廃棄物回収容器を介して吸込みホースに作用し、かかる吸引作用でもって土砂、壁土、コンプリート片等の廃棄物を吸込みホースを通して回収することができる。この吸込みホースを通して回収された廃棄物は、重量の比較的大きいもの（例えば、土砂、壁土、コンクリート片等）はその自重でもって落下して廃棄物回収容器の容器本体の底部に回収される一方、重量の比較的小さいもの（例えば、粉塵等）は、空気流とともに流出ホースを通して吸引装置に送給され、その排出部に取り付けられた粉塵回収部材内に回収され、粉塵が除去された空気が粉塵回収部材を通して外部に排出される。このようにして廃棄物を効率良く回収することができ、また粉塵等が周囲に飛散するのを防止することができる。このような清掃装置では、現場作業にて発生する廃棄物の量に応じて廃棄物回収容器の大きさを適宜設定することができ、その容量を大きくすることによって、大量の廃棄物を所要の通りに回収することができる。
【００１５】
また、本発明の請求項２に記載の清掃装置によれば、吸込みホースが廃棄物回収容器の容器本体の吸込み部に着脱自在に接続され、また流出ホースがこの容器本体の流出部に着脱自在に接続されるので、容器本体から吸込みホース及び流出ホースを取り外すことができ、このように取り外した状態においては、廃棄物回収容器が単体の状態になる。従って、このような状態にすることによって、廃棄物回収容器を装置フレームから持ち上げて簡単に取り外すことができ、廃棄物回収容器に回収された土砂等の廃棄物を取り出して廃棄することができる。
【００１６】
また、本発明の請求項３に記載の清掃装置によれば、廃棄物回収容器の容器本体に複数（例えば、二つ又は三つ）の吸込み部が設けられ、これら吸込み部に吸込みホースが装着されるので、複数の吸込みホースによって土砂等の廃棄物を回収することができ、回収作業を効率良く行うことができる。また、各吸込み部にはフランジ受部が設けられ、また吸込みホースはホース本体及び接続フランジを備え、この接続フランジはホース本体が接続される接続管部及びこの接続管部の一端部に設けられたフランジ部を有するので、接続フランジのフランジ部を吸込み部のフランジ受部に挿入することによって、吸込みホースを容器本体に着脱自在に容易に接続することができ、またこの接続フランジのフランジ部を吸込み部のフランジ受部から外すことによって、吸込みホースを容器本体から容易に取り外すことができる。
【００１７】
また、本発明の請求項４に記載の清掃装置によれば、容器本体の吸込み部のフランジ受部に閉塞部材が着脱自在に挿入可能に構成されている。従って、この閉塞部材をフランジ受部に挿入することによって、吸込み部の吸込み開口を閉塞することができ、この吸込み部を不使用状態にすることができる。この閉塞部材は、吸込みホースの接続フランジのフランジ部を吸込み部のフランジ受部に挿入した状態において、この接続フランジのフランジ部の内側に挿入するようにしてもよく、或いは吸込みホースを吸込み部から取り外した状態において、吸込み部のフランジ受部に挿入するようにしてもよい。
【００１８】
また、本発明の請求項５に記載の清掃装置によれば、装置フレームは一対の支持台部を介して支持され、これら一対の支持台は長さ調整可能な一対の支持脚を介して装置フレームに取り付けられているので、一対の支持脚の長さを所要の通りに調整することによって、傾斜した面、例えば屋根の上、傾斜地等でも装置フレームを安定して支持することができる。
【００１９】
また、本発明の請求項６に記載の清掃装置によれば、装置フレームに複数の第１係止部が設けられているので、かかる第１係止部を利用して清掃装置全体を容易に吊り上げることができ、高所でも容易に設置することができる。また、廃棄物回収容器の容器本体には複数の第２係止部が設けられているので、かかる第２係止部を利用して廃棄物回収容器を容易に吊り上げることができ、これによって、設置した装置フレームから廃棄物回収容易を容易に取り外すことができ、例えば廃棄物回収容器に回収された廃棄物を廃棄することができる。
【００２０】
また、本発明の請求項７に記載の清掃装置によれば、廃棄物回収容器の容器本体が円筒形状に形成され、この容器本体内には流入部から延びる内筒状部材が設けられ、内筒状部材における容器本体の中央部又はその近傍の下部に回収開口が設けられているので、吸込みホースを通して吸引された廃棄物は、重量の比較的大きいものは内筒状部材の回収開口を通して容器本体の中央部又はその近傍に落下して山状となり、このようにすることによって、容器本体内にきれいに回収することができる。
【発明を実施するための最良の形態】
【００２１】
以下、添付図面を参照して、本発明に従う清掃装置の最良の実施形態について説明する。図１は、一実施形態の清掃装置を示す正面図であり、図２は、図１の清掃装置を簡略的に示す断面図であり、図３は、図１の清掃装置における廃棄物回収容器を示す断面図であり、図４は、図３の廃棄物回収容器における吸込み部及びそれに関連する構成を示す部分拡大図であり、図５は、図４の吸込み部に接続フランジを装着した状態を示す部分斜視図であり、図６は、図４の吸込み部に接続フランジ及び閉塞部材を装着した状態を示す部分斜視図であり、図７は、図１の清掃装置における支持脚及びそれに関連する構成を示す斜視図であり、図８は、図１の清掃装置を家屋の屋根に設置した状態を示す図である。
【００２２】
図１〜図３において、図示の清掃装置は、装置フレーム２と、この装置フレーム２に載置される廃棄物回収容器４と、この装置フレーム２の取り付けられた吸引装置６と、を具備している。装置フレーム２はその４角部に配置される４本の支柱８を備え、これら支柱８の下端部が下フレーム１０によって接続され、これら支柱８の中間部が中間フレーム１２によって接続され、支柱８、下フレーム１０及び中間フレーム１２は、例えばＬ字状部材から構成される。
【００２３】
装置フレーム２はプレート状の載置取付部１３を備え、この載置取付部１３の周縁部が矩形状に配置された４本の下フレーム１０に取り付けられ、かく取り付けられた載置取付部１３の片側部（図１及び図２において左部）に廃棄物回収容器４が載置されるとともに、その他側部（図１及び図２において右部）に吸引装置６が取り付けられる。
【００２４】
この実施形態では、更に、図１及び図２において紙面に対して垂直方向に対向する下フレーム１０（図１において手前側ものを示し、図２において背面側のものを示す）間に、下接続フレーム１４が接続され、また図１及び図２において紙面に対して垂直方向に対向する中間フレーム１２（図１において手前側のものを示し、図２において背面側のものを示す）間に、中間接続フレーム１６が接続されている。このように構成されているので、図１及び図２において左部に位置する下フレーム１０及び下接続フレーム１４並びに図１及び図２において左部に位置する中間フレーム１２及び中間接続フレーム１６は、廃棄物回収容器４を載置収容するための載置収容空間を規定し、かかる載置収容空間に廃棄物回収容器が載置収容される。
【００２５】
図示の廃棄物回収容器４は、上面が開放された直方体状の容器本体１８を備え、この容器本体１８の上面開口に蓋体２０が開閉自在に装着され、容器本体１８及び蓋体２０によって密閉された回収空間２１を規定する。この蓋体２０は、図示していないが、容器本体１８に設けられる旋回軸を中心として閉位置（上面開口を閉塞する位置）と開位置（上面開口を開放する位置）との間を旋回自在になるように構成してもよく、或いは容器本体１８の上端部に着脱自在に取り付けられるように構成してもよく、必要に応じて蓋体２０を閉状態にロック保持するためのロック手段（図示せず）が設けられる。
【００２６】
この容器本体１８の一側面（図１及び図２において手前側の側面、図３において左側の側面）の上部には、図１及び図２において左右方向に間隔をおいて一対の吸込み部２２が設けられ、これら吸込み部２２に吸込みホース２３が着脱自在に装着される。図４〜図６を参照して、各吸込み部２２は受け部材２４から構成され、この受け部材２４は略Ｕ字状の側壁２６を備え、この側壁２６の一側端部（前側端部）に前壁２８が設けられ、その他側端部（後側端部）に後壁３０が設けられ、側壁２６、前壁２８及び後壁３０はそれらの間に上面が開放したフランジ受部３２を規定する。また、容器本体１８には、各吸込み部２２に対応して流入口３４（流入部を構成する）が設けられ、この流入口３４に対応して、受け部材２４の後壁３０には吸込み開口３６が設けられ、吸込み開口３６と流入口３４とが合致するように設けられている。
【００２７】
吸込みホース２３は、蛇腹状の可撓性を有するホース本体３８と、このホース本体３８の一端部に設けられた接続フランジ４０とから構成されている。接続フランジ４０は、接続管部４２と、この接続管部４２の一端部に設けられたフランジ部４４とを有し、フランジ４４は受け部材２４のフランジ受部３２に対応した形状に形成されている。ホース本体３８は接続フランジ４０の他端部に接続され、その長さは、作業を行う現場の広さ等に応じて適宜設定することができる。このような接続フランジ４０が受け部材２４に装着されることに関連して、受け部材２４の前壁２８には、接続フランジ４０の接続管部４２を受け入れる受け凹部４３と、この受け凹部４３から上方に延びるスリット部４５が設けられている。尚、ホース本体３８の接続フランジ４０への装着を着脱自在となるように構成し、長さの異なる複数種のホース本体３８を用意し、作業現場に応じて適切な長さのホース本体３８を接続フランジ４０の接続管部４２に取り付けるようにしてもよい。
【００２８】
吸込みホース２３は、接続フランジ４０のフランジ部４４を受け部材２４のフランジ受部３２に上方から挿入する（このとき、接続管部４２はスリット部４５を通して受け凹部４３に挿入される）ことによって、吸込み部２２に着脱自在に装着される。かく装着すると、接続管部４２の流路４６が受け部材２４の後壁３０の吸込み開口３６と合致し、ホース本体３８内の吸込み流路４８は、接続管部４２の流路４６、後壁３０の吸込み開口３６及び容器本体１８の流入口３４を介して容器本体１８内の回収空間２１に連通される。尚、この接続状態において、接続フランジ４０を上方に持ち上げてフランジ部４４を受け部材２４のフランジ受部３２から外すことによって、吸込みホース２３を吸込み部２２から取り外すことができる。
【００２９】
この吸込み部２２のフランジ受部３２には、プレート状の閉塞部材５０が着脱自在に装着される。閉塞部材５０は、接続フランジ４０のフランジ部４４と外径形状が同一である閉塞部５２（流路４６は形成されていない）と、この閉塞部５２の上端部に設けられた折曲部５４を有し、折曲部５４が容器本体１８側とは反対側に突出している。このような閉塞部材５０は、その閉塞部５２を受け部材２４のフランジ受部３２に挿入することによって、吸込み部２２に着脱自在に装着され、かく装着した状態においては、その閉塞部５２が接続フランジ４０の流路４６を閉塞し、従って、吸引装置６からの吸引作用がこの接続フランジ４０に接続されたホース本体３８に作用せず、この吸込みホース２３は使用できない状態となる。この閉塞部材５０の取付けは、図６に示すように、受け部材２４のフランジ受部３２に接続フランジ４０のフランジ部４４を挿入した状態において、このフランジ部４４と受け部材２４の後壁３０との間に挿入することができ、また接続フランジ４０を受け部材２４に装着していない状態においては、受け部材２４の前壁２８と後壁３０との間に挿入することができる。尚、フランジ受部３２に挿入した閉塞部材５０は、その折曲部５４を上方に持ち上げることによって、受け部材２４から取り外すことができる。
【００３０】
この容器本体１８における、吸込み部２２が設けられた上記一側面と対向する他側面（図１及び図２において背面側の側面、図３において右側の側面）には、一対の流入口３４の間の部位に対向して流出口６２（流出部を構成する）が設けられている。この流出口６２には、容器本体１８から外方に延びる接続管部６４が設けられ、この接続管部６４に流出ホース６６の一端部が着脱自在に接続される。この流出ホース６６の一端部は、接続管部６４を被嵌するように圧入することによって接続され、外側に引っ張ることによって接続管部６４から取り外すことができる。
【００３１】
この容器本体１８に関連して、更に次の通りに構成されている。容器本体１８の流入口３４には、容器本体１８の内方に延びる内筒状部材６８が設けられている。内筒状部材６８は容器本体１８の前後方向（図３において左右方向）中央部を越えて幾分後方（図３において右方）に延びており、この内筒状部材６８の先端部下部に回収開口７０が設けられている。この回収開口７０は、容器本体１８の上記前後方向中央部又はその近傍に配置され、このような部位に回収開口７０を設けることによって、回収した廃棄物（例えば、土砂、壁土、コンクリート片等）は、回収開口７０を通して容器本体１８の前後方向中央部乃至その近傍に排出され、このように排出することによって、回収した廃棄物を容器本体１８の回収空間２１に片寄ることなく回収することができる。
【００３２】
また、容器本体１８の流出口６２には、これを覆うように金網状部材７２が溶接等の手段により取り付けられている。このように金網状部材７２を設けることによって、収容空間２１に回収された廃棄物のうち比較的大きいものが流出口６２を通して下流側に流れるのが防止され、比較的大きい廃棄物は収容空間２１内に所要の通りに回収される。
【００３３】
更に、容器本体１８の更に他の一側面（この実施形態では、図１及ぶ図２において左側面）の下部には矩形状の開口が設けられ、この矩形状開口を通して回収容器体７４が着脱自在に取り付けられている。回収容器体７４は上面が解放された箱状であり、この矩形状開口を通して内方に押し込むことによって容器本体１８の回収空間２１の下部に装着され、外方に引き出すことによって容器本体１８から外すことができ、このように外すことによって、後述する如くして回収容器体７４に回収された廃棄物を容易に廃棄することができる。また、回収容器体７４の容器本体１８への装着、離脱を容易にするために、その前面には取っ手部７６が設けられている。尚、この形態では、着脱自在に容器本体１８に装着される回収容器体７４に廃棄物を回収するように構成しているが、このような回収容器体を省略し、容器本体１８の下部に直接的に回収するようにしてもよい。
【００３４】
更にまた、容器本体１８における、回収容器体７４の上方の内周部位には、内方に向けて下方に傾斜する傾斜案内部材７６が取り付けられている。この傾斜案内部材７６は、落下する廃棄物をその上面に沿って内方に案内し、回収した廃棄物が容器本体１８の内周面と装着した回収容器体７４の外周面との間に入り込むのを防止する。尚、廃棄物の上述した入り込みが問題とならないときには、この傾斜案内部材７６を省略することができる。
【００３５】
再び図１及び図２を参照して吸引装置６について説明すると、図示の吸引装置６は箱状の吸引装置ハウジング６２を備え、この吸引装置ハウジング８２が装置フレーム２の載置取付部１３に取り付けられている。この吸引装置ハウジング８２内には、駆動源としての電動モータ（図示せず）によって矢印（図２）で示す所定方向に回転駆動されるファン８４が装着され、このファン８４を囲むようにファンハウジング８６が設けられ、このファンハウジング８６の一部に外部に連通する排出部８８が設けられている。この排出部８８は吸引装置ハウジングの一側面（図１及び図２において右側の側面）を貫通して外方に突出し、空気を排出するための排出口９０を規定する。また、吸引装置ハウジング６２の他の一側面（図１及び図２において背面側の側面、図８において右側の側面）には、吸引部９２が設けられている。この吸引部９２は外方に突出し、空気を吸引するための吸引口９４を規定し、この吸引口９４はファン８４の回転中心部に対向して配置される。この吸引装置６においては、ファン８４が所定方向に回転すると、その吸引作用によって、空気が吸引部９２（吸引口９４）を通して吸引され、かく吸引された空気はファンハウジング８６内を流れて排出部８８（排出口９０）から排出される。
【００３６】
このような吸引装置６においては、一端部が容器本体１８の接続管部６４に接続された流出ホース６６の他端部は、吸引装置６の吸引部９４に接続されている。また、吸引装置６の排出部８８には、通気性を有する袋状の粉塵回収部材９６が取り付けられ、例えば取付バンド９８等を用いて着脱自在に取り付けられる。従って、ファン８４の回動による吸引力は、流出ホース６６、容器本体１８の回収空間２１を介して吸込みホース２３に作用し、容器本体１８の回収空間２１に回収されずに流出ホース６６を通して下流側に流れた重量の比較的小さい廃棄物（例えば、粉塵等）は、ファンハウジング８６内を流れて粉塵回収部材９６に回収され、回収した廃棄物が除去されたきれいな空気が粉塵回収部材９６を通して外部に排出される。
【００３７】
この清掃装置では、屋根等の傾斜面に設置可能なように、次の通り構成されている。図１及び図２とともに図７及び図８を参照して、この実施形態では、一対の支柱８（図１に示すとともに図８に左側に示すもの）に関連して第１高さ調整機構１００が設けられ、この第１高さ調整機構１００を介して第１支持台部１０２が設けられている。また、残りの一対の支柱８（図２に示すとともに図８に右側に示すもの）に関連して第２高さ調整機構１０４が設けられ、この第２高さ調整機構１０４を介して第２支持台部１０６が設けられている。第１及び第２高さ調整機構１００，１０４は実質上同一の構成であり、以下、第１高さ調整機構１００について説明する。
【００３８】
第１（第２）高さ調整機構１００（１０４）は、各支柱８に固定された案内支持部材１０８を備え、案内支持部材１０８は支柱８に沿って上下方向に延びている。各案内支持部材１０８は管状部材から構成され、その軸線方向（即ち、上下方向）に間隔をおいて一対の貫通孔１１０が設けられている。第１（第２）高さ調整機構１００（１０４）は、更に、各案内支持部材１０８内に相対的に移動自在に装着された支持脚１１２を備え、各支持脚１１２には軸線方向に間隔をおいて複数の貫通孔１１４が設けられ、これら貫通孔１１４の間隔は案内支持部材１０８の一対の貫通孔１１０の間隔に対応している。案内支持部材１０８の一対の貫通孔１１０及び支持脚１１２の一対の貫通孔１１４を通してピン部材１１６が装着され、かく装着することによって支持脚１１２の長さが固定され、ピン部材１１６を装着する貫通孔を変えることによって、支持脚１１２の長さを調整することができる。第１（第２）支持台部１０２（１０６）は、このように一対の案内支持部材１０８に支持された一対の支持脚１１２の下端部に固定されている。
【００３９】
この実施形態では、一対の貫通孔１１０．１１４を通して一対のピン部材１１６を装着しているが、充分な強度を得ることができるときには、各案内支持部材１０８に一つの貫通孔を設け、この貫通孔を通してピン部材を装着するようにしてもよく、またピン部材１１６に代えて、ボルト及びナットの組合せ等の適宜の手段を用いるようにしてもよい。
【００４０】
この清掃装置においては、高所の作業現場に吊り上げることができるように構成されている。即ち、装置フレーム２の各支柱８の上端部には取付孔が設けられ、第１係止部を構成するＵ字状の第１係止部材１２２の両端部及び支柱８の取付孔を通してピン１２４を装着することによって、第１係止部材１２２が支柱８の上端部に回動自在に取り付けられている。従って、各支柱８に装着された第１係止部材１２２にフック部材（図示せず）を引っ掛けてクレーン等を用いて持ち上げることによって、家屋の屋根等の高所に容易に吊り上げることができる。
【００４１】
また、廃棄物回収容器４を装置フレーム２から外せるように構成されている。即ち、廃棄物収容容器４の容器本体１８の各側壁の上端部には、取付孔を有する取付ブラケット１２６が取り付けられ、第２係止部を構成するＵ字状の第２係止部材１２８の両端部及び取付ブラケット１２６の取付孔を通してピン１２７を装着することによって、第２係止部材２８が取付ブラケット１２６に回動自在に取り付けられている。従って、容器本体１８の各取付ブラケット１２６に取り付けられた第２係止部材１２８にフック部材（図示せず）を引っ掛けてクレーン等で持ち上げることによって、装置フレーム２から廃棄物回収容器４を吊り上げて外すことができ、例えば高所での現場作業において容器本体１８の回収空間２１に廃棄物が貯まったときにも、廃棄物回収容器４を吊り上げて地面等に下ろし、貯まった廃棄物を簡単に且つ容易に廃棄することができる。
【００４２】
次に、上述した清掃装置を用いての清掃作業について説明する。主として図１、図２及び図８を参照して、例えば、家屋の屋根２００の瓦（図示せず）を葺き替える際に発生する屋根土を清掃する場合に適用して説明すると、この場合、例えば、図８に示すように、清掃装置をクレーン等で吊り上げて屋根２００の上に設置する。屋根２００の上面は傾斜しているので、設置に際して、例えば第１高さ調整機構１００側を傾斜の下側に位置付けるとともに第２高さ調整機構１０４側を傾斜の上側に位置付け、第１高さ調整機構１００の一対の支持脚１１２の長さが第２高さ調整機構１０４の一対の支持脚１１２の長さよりも長くなるようにピン部材１１６の挿入位置を調整する。このようにして設置すると、装置フレーム２が第１及び第２高さ調整機構１００，１０４を介して屋根２００にほぼ水平な状態で設置され、傾斜面であっても清掃装置を安定して設置することができる。
【００４３】
屋根瓦の葺き替えの際に発生した屋根土、瓦片等の廃棄物を回収するときには、吸引装置６を作動させてファン８４を所定方向に回動させればよい。かくすると、ファン８４による吸引力が吸込みホース２３の先端部に作用し、屋根上に残留する屋根土、瓦片等の廃棄物が吸込みホース２３に吸い込まれ、かく吸い込まれた廃棄物は、ホース本体３８、接続フランジ４０、内筒状部材６８を通して廃棄物回収容器４の容器本体１９８内に流れ、重量の比較的大きい廃棄物は自重でもって落下して回収容器体７４内に回収される。また、重量の比較的小さい廃棄物は、回収容器体７４に落下することなく流出ホース６６を通して吸引装置６に流れ、ファンハウジング８８を通して外部に排出される際に粉塵回収部材９６に回収される。このように廃棄物を回収するので、回収作業中に粉塵等が周囲に飛散することがなく、効率良くきれいに清掃することができる。
【００４４】
廃棄物回収容器４内に多量の廃棄物が回収されたときには、清掃作業を一時的に中断し、容器本体１８の吸込み部２２に接続された吸込みホース２３を取り外すとともに、その接続管部６４（流出部）に接続された流出ホース６６を取り外し、このような状態においてクレーン等を用いて廃棄物回収容器４を装置フレーム２から持ち上げて例えば地面に下ろし、装置フレーム２から外した状態で回収した廃棄物の廃棄を行い、このようにすることによって、回収した廃棄物の廃棄を簡単に且つ容易に行うことができる。廃棄物を廃棄した後は、再びクレーン等で吊り上げて廃棄物回収容器４を装置フレーム２の載置取付部１３に載置し、吸込みホース２３及び流出ホース６６を所要の通りに接続し、そして吸引装置６を作動させることによって、清掃作業を再開することができる。
【００４５】
以上、本発明に従う清掃装置の一実施形態について説明したが、本発明はかかる実施形態に限定されるものではなく、本発明の範囲を逸脱することなく種々の変形乃至修正が可能である。
【００４６】
例えば、図示の実施形態では、廃棄物回収容器４の容器本体１８に吸込み部２２を二つ設け、各吸込み部２２に吸込みホース２３を着脱自在に装着しているが、このような構成に限定されず、この容器本体に吸込み部を一つ又は三つ以上設けて吸込みホースを接続するようにしてもよい。
【００４７】
また、図示の実施形態では、廃棄物回収容器４の容器本体１８に独立して吸込み部２２を二つ設けているが、このような構成に代えて、この容器本体に吸込み部を一つ設け、一つの吸込み部に分岐して二つ又は三つ以上の分岐接続部を設け、各分岐接続部に例えば上述したと同様にして吸込みホースを着脱自在に接続するようにしてもよい。
【００４８】
また、図示の実施形態では、廃棄物回収容器４の容器本体１８に吸込み部２２を構成する受け部材２４を設け、この受部材２４のフランジ受部３２に接続フランジ４０のフランジ部４４を挿入するようにしているが、このような構成に代えて、容器本体に接続管部を設け、この接続管部に吸込みホースのホース本体を直接的に着脱自在に接続するようにしてもよい。
【００４９】
また、図示の実施形態では、廃棄物回収容器４の容器本体１８を直方体形状に構成しているが、このような形状に限定されず、例えば、円筒状形状に構成するようにしてもよく、この場合、内筒状部材を容器本体の流入部から径方向内方に延ばし、この内筒状部材における、容器本体の中心部又はその近傍に対応する部位の下部に、回収開口を設けるのが好ましく、このように構成することによって、内筒状部材を通して流れる廃棄物を回収開口を通して容器本体のほぼ中心部に回収することができ、回収した廃棄物の片寄りを防止することができる。  
【図面の簡単な説明】
【００５０】
【図１】一実施形態の清掃装置を示す正面図である。
【図２】図１の清掃装置を簡略的に示す断面図である。
【図３】図１の清掃装置における廃棄物回収容器を示す断面図である。
【図４】図３の廃棄物回収容器における吸込み部及びそれに関連する構成を示す部分拡大図である。
【図５】図４の吸込み部に接続フランジを装着した状態を示す部分斜視図である。
【図６】図４の吸込み部に接続フランジ及び閉塞部材を装着した状態を示す部分斜視図である。
【図７】図１の清掃装置における支持脚及びそれに関連する構成を示す斜視図である。
【図８】図１の清掃装置を家屋の屋根に設置した状態を示す図である。
【符号の説明】
【００５１】
２  装置フレーム
４  廃棄物回収容器
６  吸引装置
１３  載置取付部
１８  容器本体
２１  回収空間
２２  吸込み部
２３  吸込みホース
３２  フランジ受部
３８  ホース本体
４０  接続フランジ
４４  フランジ部
５０  閉塞部材
６６  流出ホース
８４  ファン
９６  粉塵回収部材
１００，１０４  高さ調整機構
１０８  案内支持部材
１１２  支持脚
１２２，１２８  係止部材
【図１】
2006142202.tif 000003
【図２】
2006142202.tif 000004
【図３】
2006142202.tif 000005
【図４】
2006142202.tif 000006
【図５】
2006142202.tif 000007
【図６】
2006142202.tif 000008
【図７】
2006142202.tif 000009
【図８】
2006142202.tif 000010